(57)【要約】【課題】  エレベータの通常運転の妨げとならず、小型で簡単な構造を有するエレベータの釣合い重りの脱レール防止装置を得る。【解決手段】  エレベータ昇降路内に立設された一対の釣合い重り用ガイドレールと、このガイドレールに案内されてエレベータ昇降路内を昇降する釣合い重り装置と、ガイドレールに設けられた第一の脱レール防止具と、釣合い重り装置に設けられ、ガイドレール側に突出する第二の脱レール防止具とを備え、第一及び第二の脱レール防止具の何れか一方は、他方の脱レール防止具の幅よりも大きな幅を有する中空部と、小さな幅を有する開口部とを有し、ガイドレール並びに他方の脱レール防止具が中空部内に配置されるとともに、一方の脱レール防止具は、ガイドレールの長手方向からの投影面上、ガイドレール並びに他方の脱レール防止具に対してそれぞれ所定の間隙が形成される。【選択図】      図１
2005200199.tif 000002
【特許請求の範囲】
【請求項１】
エレベータ昇降路内に立設された一対の釣合い重り用ガイドレールと、この釣合い重り用ガイドレールに案内されて前記エレベータ昇降路内を昇降する釣合い重り装置と、前記釣合い重り用ガイドレールに設けられた第一の脱レール防止具と、前記釣合い重り装置に設けられ、前記釣合い重り用ガイドレール側に突出する第二の脱レール防止具とを備え、前記第一及び第二の脱レール防止具の何れか一方は、前記第一及び第二の脱レール防止具の他方の幅よりも大きな幅を有する中空部と、前記第一及び第二の脱レール防止具の他方の幅よりも小さな幅を有する開口部とを有し、前記釣合い重り用ガイドレール並びに前記第一及び第二の脱レール防止具の他方が前記中空部内に配置されるとともに、前記第一及び第二の脱レール防止具の一方は、前記釣合い重り用ガイドレールの長手方向からの投影面上、前記釣合い重り用ガイドレール並びに前記第一及び第二の脱レール防止具の他方に対してそれぞれ所定の間隙が形成されていることを特徴とするエレベータの釣合い重りの脱レール防止装置。
【請求項２】
第一の脱レール防止具は、釣合い重り用ガイドレールよりも大きな幅を有する背面板からなり、第二の脱レール防止具に中空部及び開口部が設けられたことを特徴とする請求項１記載のエレベータの釣合い重りの脱レール防止装置。
【請求項３】
背面板の幅よりも小さな幅を有するブラケットが前記背面板に設けられ、第二の脱レール防止具は、前記釣合い重り用ガイドレールの長手方向からの投影面上、前記ブラケットに対しても所定の間隙が形成されていることを特徴とする請求項２記載のエレベータの釣合い重りの脱レール防止装置。
【請求項４】
第一の脱レール防止具に、釣合い重り用ガイドレール長手方向に渡って中空部及び開口部が設けられ、第二の脱レール防止具に、前記中空部内に配置される幅広部と、前記開口部よりも小さな幅を有する幅狭部とが設けられたことを特徴とする請求項１記載のエレベータの釣合い重りの脱レール防止装置。
【請求項５】
第二の脱レール防止具は、釣合い重り装置の上部両端部にそれぞれ設けられたことを特徴とする請求項１から請求項４の何れかに記載のエレベータの釣合い重りの脱レール防止装置。
【発明の詳細な説明】
【技術分野】
【０００１】
この発明は、地震時等にエレベータの釣合い重りがガイドレールから逸脱することを防止する釣合い重り用脱レール防止装置に関するものである。
【背景技術】
【０００２】
従来のエレベータの釣合い重りの脱レール防止装置には、エレベータ昇降路内の左右ガイドレールに各々摺接案内されるレール案内装置を有した釣合い重りの枠の少なくとも上部左右箇所からガイドレールを間に挟んでその両側に突設される一対の支持アームと、その一対の支持アームの対向部に設けられてガイドレールをそのウェブ部（ガイドレールの肉厚な頭部と幅広の取付フランジ部との間の薄肉に括れた中央腹部）両側面に摺接係合して上下動可能に狭持する一対の係合部材とから構成されるものがある（例えば、特許文献１参照）。
【０００３】
【特許文献１】特開昭６０−２０９４８３号公報
【発明の開示】
【発明が解決しようとする課題】
【０００４】
特許文献１記載のエレベータの釣合い重りの脱レール防止装置は、エレベータ装置の据付作業時に発生する釣合い重りの前後左右方向の揺れを規制するものであり、上端部のみが固定されたガイドレールに摺接案内させて、釣合い重りをウィンチ等によって引き上げる場合に、一対の支持アームの対向部に設けられた係合部材が、ガイドレールのウェブ部の凹状両側面に狭持する如く摺接係合することによって、釣合い重りのガイドレールからの逸脱を防止している。しかし、この脱レール防止装置は、あくまでエレベータ装置の据付作業時に使用されるものであるため、支持アームの対向部に設けられた係合部材は、ガイドレールのウェブ部両側面に対して摺接係合して狭持するように設けられている。したがって、この係合部材とガイドレールとの間には、釣合い重りの昇降に際して摩擦力が発生してしまうため、地震等による釣合い重りの逸脱を防止する脱レール防止装置として、通常のエレベータ運転時に使用することはできなかった。
【０００５】
また、通常のエレベータ運転時に使用される従来のエレベータの釣合い重りの脱レール防止装置としては、図４に示すようなものも考えられている。この脱レール防止装置では、釣合い重り４を案内する一対の釣合い重り用ガイドレール５は、それぞれレールブラケット１５に固定されている。そして、この２つのレールブラケット１５間に跨って、釣合い重り４と平行にタイブラケット１６が固定されている。このため、地震時等においても釣合い重り用ガイドレール５間の距離をほぼ一定に保つことができ、釣合い重り４の逸脱を防止することが可能となる。しかし、このタイブラケット１６は、釣合い重り４の昇降の障害とならないように、釣合い重り４等の可動部に対して干渉しない位置に設置される必要があり、昇降路が小さい場合等には、タイブラケット１６を設置するためのスペースを確保することが困難となっていた。なお、昇降路が小さく、タイブラケット１６の設置スペースを確保することができない場合には、釣合い重り用ガイドレール５の強度を高めるために、釣合い重り用ガイドレール５に対して寸法変更等の対策が必要となり、エレベータ装置全体のコストが高くなる要因となっていた。
【０００６】
この発明は、上述のような課題を解決するためになされたもので、その目的は、エレベータの通常運転の妨げとならず、小型で簡単な構造を有するエレベータの釣合い重りの脱レール防止装置を提供することである。
【課題を解決するための手段】
【０００７】
この発明に係るエレベータの釣合い重りの脱レール防止装置は、エレベータ昇降路内に立設された一対の釣合い重り用ガイドレールと、この釣合い重り用ガイドレールに案内されてエレベータ昇降路内を昇降する釣合い重り装置と、釣合い重り用ガイドレールに設けられた第一の脱レール防止具と、釣合い重り装置に設けられ、釣合い重り用ガイドレール側に突出する第二の脱レール防止具とを備え、第一及び第二の脱レール防止具の何れか一方は、第一及び第二の脱レール防止具の他方の幅よりも大きな幅を有する中空部と、第一及び第二の脱レール防止具の他方の幅よりも小さな幅を有する開口部とを有し、釣合い重り用ガイドレール並びに第一及び第二の脱レール防止具の他方が中空部内に配置されるとともに、第一及び第二の脱レール防止具の一方は、釣合い重り用ガイドレールの長手方向からの投影面上、釣合い重り用ガイドレール並びに第一及び第二の脱レール防止具の他方に対してそれぞれ所定の間隙が形成されるものである。
【発明の効果】
【０００８】
この発明は、エレベータ昇降路内に立設された一対の釣合い重り用ガイドレールと、この釣合い重り用ガイドレールに案内されてエレベータ昇降路内を昇降する釣合い重り装置と、釣合い重り用ガイドレールに設けられた第一の脱レール防止具と、釣合い重り装置に設けられ、釣合い重り用ガイドレール側に突出する第二の脱レール防止具とを備え、第一及び第二の脱レール防止具の何れか一方は、第一及び第二の脱レール防止具の他方の幅よりも大きな幅を有する中空部と、第一及び第二の脱レール防止具の他方の幅よりも小さな幅を有する開口部とを有し、釣合い重り用ガイドレール並びに第一及び第二の脱レール防止具の他方が中空部内に配置されるとともに、第一及び第二の脱レール防止具の一方は、釣合い重り用ガイドレールの長手方向からの投影面上、釣合い重り用ガイドレール並びに第一及び第二の脱レール防止具の他方に対してそれぞれ所定の間隙が形成される構成としたことで、エレベータの通常運転の妨げとならず、小型で簡単な構造を有することができる。
【発明を実施するための最良の形態】
【０００９】
実施の形態１．
図１はこの発明の実施の形態１におけるエレベータ装置の平面図、図２はこの発明の実施の形態１における釣合い重りの脱レール防止装置の側面図である。図において、エレベータの昇降路１内には、互いに対向するように一対のかご用ガイドレール２が立設され、エレベータのかご３は、このかご用ガイドレール２に案内されることによって昇降路１内を昇降している。また、このかご３と、昇降路１内に互いに対向するように立設された一対の釣合い重り用ガイドレール５に案内される釣合い重り４とは、主索（図示せず）によって釣瓶式に懸吊されているため、釣合い重り４は、かご３とは逆方向に昇降路１内を昇降している。なお、この釣合い重り４は、かご３に定員の半分の乗客が乗車した状態で、かご３全体の重量と釣合い重り装置全体の重量とがほぼ等しくなるように、その重量が設定されている。
【００１０】
以下、釣合い重り装置の構成について詳細に説明する。
エレベータの昇降路壁又は昇降路梁等には、板状のファスナ６が所定の間隔を空けて強固に固定されている。このファスナ６の上面には、略Ｌ字状を呈し、所定の幅を有するブラケット７が、その垂直な面が互いに対向するようにボルト又は溶接等によってそれぞれ強固に設けられている。所定の幅を有する鋼製の背面板８は、このブラケット７の互いに対向する面にそれぞれ固定されて、昇降路１内に、釣合い重り装置の可動範囲に渡って立設されている。また、横断面が略Ｔ字状を呈する釣合い重り用ガイドレール５は、背面板８の対向する側面にボルト又はレールクリップ等によってそのフランジ部５ａがそれぞれ固定されて、互いに対向するように昇降路１内に立設されている。ここで、背面板８の幅が釣合い重り用ガイドレール５のフランジ部５ａの幅及びブラケット７の幅よりも大きく、釣合い重り用ガイドレール５は、背面板８の対向する一側面中央部に、また、ブラケット７は背面板８の外側の他側面中央部にそれぞれ設けられているため、図１に示すように、平面図上、背面板８の両端部は、釣合い重り用ガイドレール５及びブラケット７よりも外側に突出した状態となっている。また、釣合い重り４は、その両端部が縦枠９ａに係合するようにして形鋼枠９内に載置され、通しボルト（図示せず）等によって固定されている。この形鋼枠９の上枠９ｂの上面両端部には、それぞれ固定板１０が設けられており、この固定板１０の上面には、後述する脱レール防止具１１がボルトによって締結固定されている。さらに、この脱レール防止具１１の上方には、釣合い重り用ガイドレール５の頭部５ｂに３方向から接触するガイドローラ１２が設けられている。なお、図示されていないが、形鋼枠９の下面両端部にも、釣合い重り用ガイドレール５の頭部５ｂに３方向から接触するガイドローラ１２がそれぞれ設けられており、釣合い重り４は、形鋼枠９の上下両端部に設けられたこれら４つのガイドローラ１２が、それぞれ釣合い重り用ガイドレール５の頭部５ｂに接触して回動することにより、釣合い重り用ガイドレール５に沿って円滑に昇降路１内を昇降することが可能となっている。
【００１１】
形鋼枠９の上方両端部に設けられた脱レール防止具１１は、一端部が釣合い重り用ガイドレール５側に突出するように、他端部が固定板１０上面にボルトによって締結固定されている。釣合い重り用ガイドレール５側に突出した脱レール防止具１１の一端部は、釣合い重り用ガイドレール５と背面板８とを取り囲み、且つ、釣合い重り４の昇降時にブラケット７に接触することがないように、平面図上、両側が対向する略Ｌ字状に形成されている。即ち、脱レール防止具１１の一端部には、背面板８の幅及び釣合い重り用ガイドレール５のフランジ部５ａの幅よりも大きい幅を有する中空部１１ａと、この中空部１１ａの一端面側に設けられ、ブラケット７の幅よりも大きく、且つ、背面板８の幅よりも小さい幅を有する開口部１１ｂとが形成されている。そして、釣合い重り用ガイドレール５及び背面板８が、この中空部１１ａを貫通するように配置されており、釣合い重り用ガイドレール５の長手方向からの投影面上、脱レール防止具１１は、釣合い重り用ガイドレール５、背面板８及びブラケット７のそれぞれに対して所定の間隙が形成されている。なお、この発明の実施の形態１では、釣合い重り用ガイドレール５の背面に設けられた背面板８が第一の脱レール防止具を、また、釣合い重り装置の両端部に設けられた脱レール防止具１１が第二の脱レール防止具を構成している。
【００１２】
この発明の実施の形態１によれば、形鋼枠９の上方両端部に設けられた脱レール防止具１１の外側一端部は、釣合い重り用ガイドレール５及び背面板８を取り囲むように設けられ、さらに、その端部に背面板８の幅よりも小さい幅を有する開口部１１ｂが形成されているため、地震等により釣合い重り用ガイドレール５に撓みが発生した場合でも、脱レール防止具１１の外側一端部が背面板８のブラケット７側側面に掛止されることによって、釣合い重り装置が釣合い重り用ガイドレール５間から離脱することを防止できる。また、脱レール防止具１１は、釣合い重り４の上方両端部に設けられているため、釣合い重り用ガイドレール５を連結するタイブラケット１６の設置スペースを確保することができないような小さな昇降路１に設けられたエレベータ装置においても、容易に設置することが可能である。また、この脱レール防止具１１は、釣合い重り用ガイドレール５の長手方向からの投影面上、釣合い重り用ガイドレール５、背面板８及びブラケット７のそれぞれに対して所定の間隙が形成されているため、エレベータの通常運転時に摩擦力が発生する等の障害となることはなく、円滑なエレベータ運転が可能となる。
【００１３】
実施の形態２．
図３は、この発明の実施の形態２における釣合い重りの脱レール防止装置の平面図である。図において、エレベータの昇降路壁又は昇降路梁等に設けられたファスナ６には、略Ｌ字状を呈し、釣合い重り用ガイドレール５よりも大きな幅を有する２つのブラケット７が、その垂直な面が互いに対向するように固定されている。鋼製の背面板１３は、このブラケット７の互いに対向する面にボルトによってそれぞれ固定されて、昇降路１内に立設されており、断面が略Ｔ字状を呈する釣合い重り用ガイドレール５は、それぞれの背面板１３に固定されて、互いに対向するように昇降路１内に立設されている。この背面板１３は、釣合い重り用ガイドレール５を取り囲むようにその両側が対向する略Ｌ字状に曲成されて、横断面が略四角形状を呈している。即ち、背面板１３は、その両側が対向する略Ｌ字状に曲成されることにより、その中央部に長手方向に渡って中空部１３ａが設けられ、この中空部１３ａの釣合い重り４側に所定の幅を有する開口部１３ｂが形成されている。そして、この中空部１３ａ内に釣合い重り用ガイドレール５が設けられている。また、形鋼枠９の上方両端部にそれぞれ設けられた脱レール防止具１４は、背面板１３の開口部１３ｂの幅よりも大きな幅を有しており、一端部が釣合い重り用ガイドレール５側に突出するように、他端部が固定板１０の上面にボルトによって締結固定されている。釣合い重り用ガイドレール５側に突出した脱レール防止具１４の一端部は、釣合い重り用ガイドレール５と背面板１３とに接触しないように、両側面と一端面とにそれぞれ凹部が設けられている。つまり、脱レール防止具１４の一端部には、両側面に設けられた凹部によって形成された小さな幅を有する幅狭部１４ａと、この幅狭部１４ａよりも脱レール防止具１４の一端部側に設けられ、幅狭部１４ａよりも大きな幅を有する幅広部１４ｂとが設けられている。そして、この幅狭部１４ａは前述した背面板１３の開口部１３ｂの幅よりも小さな幅を有し、幅広部１４ｂは、背面板１３の開口部１３ｂの幅よりも大きく中空部１３ａの幅よりも小さい幅を有している。また、脱レール防止具１４の幅広部１４ｂは、背面板１３の中空部１３ａ内に配置されており、脱レール防止具１４は、釣合い重り用ガイドレール５の長手方向からの投影面上、釣合い重り用ガイドレール５及び背面板１３のそれぞれに対して、所定の間隙が形成されている。なお、実施の形態２では、釣合い重り用ガイドレール５の背面に設けられた背面板１３が第一の脱レール防止具を、また、釣合い重り装置の両端部に設けられた脱レール防止具１４が第二の脱レール防止具を構成している。その他の構成に関しては、実施の形態１と同様である。
【００１４】
この発明の実施の形態２によれば、脱レール防止具１４の一端部は、実施の形態１のように脱レール防止具１４が背面板１３のブラケット７側に配置されていないため、脱レール防止具１４とブラケット７とが接触する恐れがなく、幅の広いブラケット７をファスナ６に固定することができる。このため、建築物や昇降路１の構造上、ブラケット７の設置場所に制限があるような場合でも、幅が広く高い強度を有するブラケット７を使用して、背面板１３及び釣合い重り用ガイドレール５を強固に固定することが可能となる。また、脱レール防止具１４の幅広部１４ｂが背面板１３の中空部１３ａ内に配置されているため、地震等により釣合い重り用ガイドレール５に撓みが発生した場合でも、脱レール防止具１４の幅広部１４ｂが背面板１３の開口部１３ｂに掛止されて釣合い重り４の逸脱を防止することができるとともに、脱レール防止具１４は、釣合い重り用ガイドレール５と背面板１３とのそれぞれに対して、釣合い重り用ガイドレール５の長手方向からの投影面上、所定の間隙が形成されているため、エレベータの通常運転に支障をきたすこともない。
【図面の簡単な説明】
【００１５】
【図１】この発明の実施の形態１におけるエレベータ装置の平面図である。
【図２】この発明の実施の形態１における釣合い重りの脱レール防止装置の側面図である。
【図３】この発明の実施の形態２における釣合い重りの脱レール防止装置の平面図である。
【図４】従来の釣合い重りの脱レール防止装置の平面図である。
【符号の説明】
【００１６】
１  昇降路
２  かご用ガイドレール
３  かご
４  釣合い重り
５  釣合い重り用ガイドレール
５ａ  フランジ部
５ｂ  頭部
６  ファスナ
７  ブラケット
８  背面板
９  形鋼枠
９ａ  縦枠
９ｂ  上枠
１０  固定板
１１  脱レール防止具
１１ａ  中空部
１１ｂ  開口部
１２  ガイドローラ
１３  背面板
１３ａ  中空部
１３ｂ  開口部
１４  脱レール防止具
１４ａ  幅狭部
１４ｂ  幅広部
１５  レールブラケット
１６  タイブラケット
【図１】
2005200199.tif 000003
【図２】
2005200199.tif 000004
【図３】
2005200199.tif 000005
【図４】
2005200199.tif 000006